(57)【要約】ＨＤＴＶ信号等の入力信号は、必要に応じてデコードされることが可能な第１の信号と、圧縮された状態のままにしておくことが可能な第２の信号とに分割される。第１の信号は、遅延されてもよく、その後、両方の信号が受信機送信される。第１の信号からエラーが全く検出されない場合、第１の信号が表示データとして用いられる。そうでない場合、第１の信号の前に到着し、その結果代替として利用可能な第２の信号が表示される。
2008530950.tif 000002
【特許請求の範囲】
【請求項１】
ソース信号中のエラー訂正を行うシステムであって、
少なくとも１つのソース信号入力部と、
前記入力部に電気的に接続され、前記ソース信号をデコードし、デコードされた信号を、第１の信号ストリームを生成するための第１エンコーダに送信する第１の経路と、
前記入力部に電気的に接続され、エンコードされ圧縮された信号ストリームを生成するための第２エンコーダを含む第２の経路と、
伝送のために第１の信号ストリームを、前記エンコードされ圧縮された信号ストリームと結合し、前記第１信号ストリーム内の失われたデータが、前記エンコードされ圧縮された信号ストリーム内の情報によって受信機で置換されることができるマルチプレクサと、
を備えることを特徴とする、システム。
【請求項２】
前記ソース信号は、高解像度テレビ信号であることを特徴とする、請求項１に記載のシステム。
【請求項３】
約５７ＧＨｚから６４ＧＨｚの間の周波数帯のうち少なくとも１つの周波数で伝送することを特徴とする、請求項１に記載のシステム。
【請求項４】
前記第２の経路内の同じソース信号を圧縮したものをエンコードしたデータに対して、デコードされたソース信号をエンコードしたデータを遅延させる、少なくとも１つの遅延器を前記第１の経路内に備えることを特徴とする、請求項１に記載のシステム。
【請求項５】
送信機によって送信される信号を受信する少なくとも１つの受信機を備え、
前記受信機は、
前記第１信号ストリームを前記エンコードされ圧縮された信号ストリームから分離するデマルチプレクサと、
前記ストリームを処理する回路と、
第１のエラー条件の下で第１信号ストリームで運ばれる情報を表示するための、あるいは、エンコードされ圧縮されたストリームで運ばれる情報を表示するためのロジックと、
を含むことを特徴とする、請求項１に記載のシステム。
【請求項６】
表示のために無線で送信されるデータの受信機であって、
表示するためのデータを表す第１の信号及び表示するためのデータを表す第２の信号を少なくとも含む信号であって、表示するためのデータを表す信号を処理するための無線信号処理部と、
一時的に前記第２の信号を保持する遅延部と、
前記第１の信号は、エラー条件を無視するか否かを決定し、無視する場合は、前記第１の信号内のエラーの影響を受ける情報を、前記第２の信号で運ばれる情報で代替するためのロジックと、
を備えることを特徴とする、受信機。
【請求項７】
前記第１の信号は、デコードされた前記ソース信号から生成され、前記第２の信号は、圧縮された前記ソース信号から生成されることを特徴とする、請求項６に記載の受信機。
【請求項８】
前記ソース信号は、ＨＤＴＶ信号であることを特徴とする、請求項７に記載の受信機。
【請求項９】
前記受信機は、６ＯＧＨｚの周波数帯で信号を受信することを特徴とする、請求項６に記載の受信機。
【発明の詳細な説明】
【技術分野】
【０００１】
本発明は、一般に、エラー訂正に関し、特に、高解像度（High
Definition；HD）テレビ信号におけるエラー訂正に関する。
【背景技術】
【０００２】
ソース信号のエラー訂正は、創造性｛そうぞう りょく｝に富む分野である。特に、高解像度（ＨＤ）テレビ信号を含む（但し限定されない）、無線で伝送される情報等のデジタルデータのエラー訂正は、興味深い。なぜなら、伝送において、データが失われたり破損したりする可能性があるからである。例として、例えば６０ＧＨｚの無認可の周波数帯域を用いるＨＤＴＶの近距離伝送では、ある人が送信機と受信機との間を歩いている場合、データは瞬間的に失われる可能性がある。本発明は、特に、しかし限定はされないが、無線伝送されるＨＤＴＶ信号のエラー訂正において有用なエラー訂正の改良された方法を提供することを目的とする。
【発明の開示】
【課題を解決するための手段】
【０００３】
ソース信号のエラー訂正のためのシステムは、ソース信号入力と入力からの第１の経路とを含む。第１の経路において、ソース信号は、デコードされ、第１信号ストリームを生成するための第１エンコーダに送信される。第２の経路は入力から延びており、エンコードされ圧縮された信号ストリームを生成するための第２のエンコーダを含む。マルチプレクサは、エンコードされ圧縮された信号ストリームを伝送のために第１の信号ストリームと結合する、このようにして、第１の信号ストリーム内の失われたデータは、エンコードされ圧縮された信号ストリーム内の情報によって置換されることができる。
【０００４】
ソース信号は、高解像度テレビ信号であってもよく、データは、約５７ＧＨｚと６４ＧＨｚの間の周波数帯で伝送されることができる。
【０００５】
さらに以下に記載されたように、第２の経路内の同じソース信号を圧縮したものをエンコードしたデータに対して、デコードされたソース信号をエンコードしたデータを遅延させるために、第１の経路内遅延器を提供されるようにすることができる。システムはまた、送信機によって送信される信号を受信する受信機を含むようにしてもよい。受信機は、第１信号ストリームをエンコードされ圧縮された信号ストリームから分離するデマルチプレクサと、ストリームを処理する回路と、を含むことができる。受信機はまた、第１のエラー条件の下で第１信号ストリームで運ばれる情報を表示するための、あるいは、エンコードされ圧縮されたストリームで運ばれる情報を表示するためのロジック（logic）を有するようにしてもよい。
【０００６】
他の側面によると、データを表示するための方法は、データの第１版及び第２版を受信機に伝送する段階を含む。方法はまた、閾値を越えるエラーが第１版で検出されるまで、第１版で運ばれる情報を表示する段階を含み、検出されたときには、第２版で運ばれる情報が表示される。
【０００７】
さらに他の側面では、表示のために無線で送信されるデータの受信機は、表示するためのデータを表す信号を処理するための無線信号処理部を含む。その信号は、表示するためのデータを表す第１の信号と、表示するためのデータを表す第２の信号と含む。遅延部は、一時的に第２の信号を保持する。ロジック（logic）は、第１の信号がエラー条件を無視するか否かを決定し、無視する場合は、第１の信号内のエラーの影響を受ける情報を、第２の信号で運ばれる情報で代替するために、受信機に提供される。
【発明を実施するための最良の形態】
【０００８】
図示された好ましい非限定的な実施形態において、ここで説明されるプロセッサは、本発明のロジックを保障するために１以上のソフトウェアまたはハードウェア要素にアクセスするようにしてもよい。フローチャートは、ここで、本発明の論理モジュールの構造をコンピュータプログラムソフトウェアで実装されるものとして示している。当業者であれば、フローチャートが、本発明に従って機能するコンピュータプログラムコード要素や機能電子論理回路などのような、論理要素の構造を示すものであると理解するであろう。明らかに、本発明は、論理要素を、図示されたものに対応する一連の機能ステップを実行するためのデジタル処理装置（すなわち、コンピュータまたはマイクロプロセッサ）に命令する形式で表す機械部品により本質的な実施形態で実現される。内部のロジックは、状態機械と同様に簡単であってもよい。
【０００９】
言い換えると、本発明のロジックは、例えば、現在のマイクロプロセッサ／サーバ内で一連のコンピュータ実行可能な命令として、プロセッサによって実行されるコンピュータプログラムとして実現されてもよい。ハードディスクドライブ上に存在することに加えて、これらの命令が、例えば、適切なコンピュータのRAM内に存在してもよく、あるいは、命令が、磁気テープ、電子読み取り専用メモリ、または他の適切なデータ保存装置上に格納されてもよい。ロジックは、電子回路で表現することができる。
【００１０】
まず図１を参照すると、システムは、一般に１０が指定され、ＨＤＴＶ信号のような（但し、これに限定されない）圧縮された信号が、地上波、ケーブルまたは衛星ＴＶ源等の（但し、これに限定されない）ソース１２から送信される。ソース信号がテレビ信号である場合、システム１０は、が単一のハウジングかセットトップボックスに収容されるテレビシステムであってもよく、ソース信号は、複数のチャンネルのうち１つを選択するためのＴＶチューナ１５への入力によって実現される、ソース信号入力１４において提供されることができる。チューナ１６の出力は、本技術分野において周知の方式に従って信号を復調するための復調器１８に送信される。図１に示すように、ある実施形態においては、ＤＶＤプレーヤーやビデオプレーヤー等の補助的なソース２０からの信号もまた、復調されたＴＶ信号に加えて提供される。
【００１１】
本発明によると、ソース信号は、第１と第２の信号経路に分けられ、デコードされた信号の経路である第１の経路は、以下でさらに示されるように、ある実施形態においては、信号をソースデコーダ２４に送信する前に一時的に信号を遅延させるための遅延器２２を含む。ソースデコーダ２４は、例えば、本技術分野において周知のＭＰＥＧ方式に従って信号をデコードし、デコードされた（圧縮されていない）ソース信号を出力し、デコードされたソース信号は、必要に応じて例えば、処理中にそれを暗号化することによって処理されることができ、暗号化モジュール２６は、例えば、ＴＶ内部にあるプロセッサによって実現されることができる。デコードされた信号は以下でさらに述べる圧縮された信号より高い解像度を示すため、好適な実施形態では、デコードされた信号を第１の信号として用いるが、他の実施形態では、圧縮された信号が第１の信号に指定されることができる。さらに、図１に示す例では、非限定的な６０ＧＨｚ帯域で提供される大きな帯域幅により、１つの圧縮された信号と１つのデコードされた信号が用いられるが、必要であれば、第１及び第２の信号の両方が圧縮されたままであってもよい。
【００１２】
また、処理及び暗号化モジュール２６は、本技術分野において周知のＴＶ方式に従ってソース信号内のビデオとともに、メニューを結合するための補助的なソース２８からのメニュー情報、ユーザインタフェース情報、及びユーザインタラクション（対話）等の付属情報を受信するようにしてもよい。
【００１３】
引き続き第１の信号経路について述べると、処理モジュール２６の出力は、例えば、ディスプレイ３０の表示のためのワイヤ上で提供されてもよい。さらに、ソース信号を高帯域経路に沿って他の装置へ無線送信することが望ましい。従って、処理モジュール２６の出力は、送信するための信号を従来技術において周知の方式に従ってエンコードするための第１のチャネルエンコーダに送信されることができる。第１の経路においてエンコードされた信号は、まもなく開示される操作のためのマルチプレクサ３４に送信され、その後送信のための送信回路に送信される。送信回路は、本技術分野において周知の無線送信方式に従って、変調器３６、アップコンバータ３８、及びアンテナ４０を含むことができる。ある非限定的な実施形態においては、送信回路は、６ＯＧＨｚの帯域、即ち、５７ＧＨｚから６４ＧＨｚの間の１つ以上の周波数でデータを送信する。また、固定されたかまたは他の種類の高帯域伝送パラダイムが使用されてもよい。
【００１４】
上述したように、復調器１８で処理した後のソース信号は、第１及び第２の信号経路に沿って、上述した第１の信号経路と、図１に示すように第２のエンコーダ４２を含む第２の信号経路とともに送信される。第２のエンコーダ４２は、既に圧縮されたソース信号をエンコードし、それをマルチプレクサ３４に送信する。マルチプレクサ３４は、第２の経路からの信号を第１の経路からの信号と多重化する。図１に示すエンコーダ３２、４２は、復調され圧縮された状態からそれ自体前にデコードされていないソース信号を第２の経路がエンコードするように、元々ソース１２で適用されるエンコードに加え、かつそれとは別に機能するシステム１０のエンコーダであると理解されたい。どのような場合でも、図１に示されたシステム１０は、入力１４で受信される２つのバージョンのソース信号、即ち、圧縮されたエラー修正バージョンとデコードされた第１のバージョンとを、まもなく開示される目的のために送信すると理解されたい。
【００１５】
図１は、ソース信号の結合され圧縮された（エラー修正）バージョンとデコードされた（第１の）バージョンとが経路４４に沿って受信機アンテナ４６に送信されるのを示す。経路４４は、短距離で、指向性の、視線方向６ＯＧＨｚの経路であってもよいが、上述したシステムのように、６ＯＧＨｚ以外のシステムが用いられてもよい。受信された信号は、本技術分野において周知の方式に従ってダウンコンバータ４８により処理され、その後、２つのバージョンの信号（圧縮された信号及びデコードされた信号）がデマルチプレクサ５２で互いに分離される。第１の（デコードされた）信号は、第１のエンコーダ３２によって用いられたのと逆の処理を行うための第１のチャネルデコーダ５４に送信される。信号が暗号化されている場合は、復号化モジュール５６で復号化される。図１は、送信機の処理及び暗号化モジュール２６と受信機の復号化モジュール５６のと間で暗号化キーを交換するのに逆方向チャネル５７を使用することができることを示す。逆方向チャネル５７は、上述した順方向チャネルと同一の周波数であってもよく、あるいは、異なる周波数、例えば、２.４ＧＨｚであってもよい。復号化モジュール５６（復号化が必要である場合）から、第１の信号がスイッチ５８に送信される。スイッチ５８は、以下で開示されるセレクタとしてそれを実行することができる。
【００１６】
上述した送信機の場合のように、図１に示す受信機は、２つの信号経路を持っている。上で詳しく説明されたデマルチプレクサ５２からの第１の受信機信号経路に加えて、第２の信号経路は、図１に示す送信機の第２のエンコーダによって用いられたのと逆の処理をおこなうための第２のデコーダを含む。その後、第２の経路における第２の信号が、ソース１２から受信されたときのような元の圧縮から送信機で決してデコードされなかったことを思い出して、第２の信号は、ソース圧縮デコーダ６２を通して処理される。ソース圧縮デコーダ６２は、送信機の第１の信号経路におけるソースデコーダ２４と同様のデコードを行う。
【００１７】
さらに、第１の信号が送信機の第１の信号経路の遅延器２２により第２の信号に比例して時間内に遅延された可能性があることを思い出す。そのような遅延が実行される場合、受信機の第２の信号経路内の第２の信号は、送信機で遅延された第１の信号と同じ時間量で遅延させ、時間内に第１の信号と第２の信号とを再調整するために遅延バッファ６４に送信される。このようにして、特定のパケットＩＤを有する第２の信号内のパケットは、第１の信号内にエラーが存在しない間に到着することができた第１の信号内の対の片方（同一のパケットＩＤを有する）として、実質的に同時にスイッチ５８に到着することができる。第２の信号は圧縮されているため、遅延バッファ（数秒間の量のデータだけが格納される）の大きさは、過剰にある必要はないことに留意されたい。
【００１８】
第１のチャネルデコーダ５４や他のコンポーネントは、本技術分野において周知の検知方式、例えば、パリティビットを検査することによって、第１の信号内のエラーを検知することができる。エラーしきい値（０に設定されてもよい）を超える場合、デコーダ５４（または他のコンポーネント）は、エラー状態経路６５に沿って切り換え信号をスイッチ５８に送るようにしてもよい。第１の信号にエラーが存在しない（またはエラーがしきい値以下である）場合、スイッチ５８は、例えば第一の信号によって表されるオーディオ／ビデオストリームを表示するためにディスプレイ６６に第１の信号を渡すように動作する。ディスプレイ６６は、デジタル−アナログ変換器を組み込むようにしてもよく、または、ディスプレイ６６とスイッチ５８との間にＤＡＣを介するようにしてもよいと理解されたい。
【００１９】
一方、第１の信号内でエラーが検知された場合、エラー状態線信号によって、スイッチ５８は、その入力に存在する第２の信号を第２の信号経路からディスプレイ６６へ渡す。したがって、受信機側では、復調器１８の出力に存在して、送信機の第２のエンコーダ４２によってエンコードされ、かつ上述したような受信機内の第２の経路に沿って処理された圧縮された信号が、データの破損した部分を代替することによって第１の信号内のエラーを補償するために用いられることができる。送信機は、６０ＧＨｚで送信することができるため、ＨＤ信号及び圧縮された信号の両方のために、図示された非限定的な実装において十分な帯域幅が提供される。
【００２０】
さらに、第１の信号と第２の信号との間の遅延は、短期間の信号ブロッキングを補償するために用いられることができると理解されたい。特に、第２の信号内のパケットは、第１の信号内のそれらに対応するパケットの前に受信されるため、第１の信号がブロックされるとき、第２の信号を使用することができる。
【００２１】
図２及び３は、例えば、必ずしも圧縮された形式で受信されるわけではない、標準テレビジョン信号等の信号の場合のエラー訂正を提供するために用いられることができる他の実施形態におけるサーバ及びクライアントＴＶをそれぞれ示す。図２に示すサーバは、ホームエンターテインメントシステムのセットトップボックスやテレビの筐体で実装されてもよく、信号入力７０のアナログケーブルソース等（但しこれに限定されない）のソースから信号を受信することができる。アナログ信号は、アナログのチューナー／フロントエンドコンポーネント７２で調整され、復調され、アナログ−デジタルコンバータ（ＡＤＣ）７４でデジタル化されその後ＭＰＥＧエンコーダ７６でエンコードされたものからのビデオ出力となる。同様に、アナログのチューナー／フロントエンドコンポーネント７２からのオーディオ出力は、オーディオのＡＤＣ７８でデジタル化され、ＭＰＥＧエンコーダ７６でエンコードされる。順番に、ＭＰＥＧエンコーダ７６からの出力ストリームをスイッチ８０に送ることができる。
【００２２】
デジタル入力信号に対して、信号は、デジタルチューナー／フロントエンド８２で調整され、復調されることができる。コンテンツ保護のために暗号化されている場合、その出力は、それを例えば、携帯用の携帯アクセスカード８６から受け取ることができる復号化情報に従って、条件付きのアクセスモジュール（ＣＡＭ）インタフェース８４で復号化される。復号化されたデジタルストリームは、必要に応じてMPEGトランスコーダ８８で、他のレートでトランスコードされ、スイッチ８０に送信されるようにしてもよい。
【００２３】
本発明の方式によると、スイッチ８０は、経路が最初に、そして、2番目に合図するために、関連する入力ストリーム（受信されたものにより、元がアナログまたは元がデジタルのいずれである）を、図２で「経路Ａ」及び「経路Ｂ」とラベルされた第１及び第２の信号経路に出力する。実質的に、スイッチ８０は、互いに同一である２つのストリームを生成するために、それぞれの２つの経路に沿って同じ入力パケットを送る。図１におけるケースと異なり、図２における２つの信号ストリームは同一であるため、どちらかが「第１」の信号として任意に選択されてもよく、もう一方が「エラー修正」信号に指定されてもよい。
【００２４】
第１の経路のストリームは、遅延器９０で一時的に遅延されてもよい。したがって、図示された実施例における経路「Ａ」は、第１の信号を表す。無線伝送インタフェース９２は、２つのストリームを受信し、それらをアンテナ９４を通じて、図３に示され以下でさらに説明されるクライアントテレビ等の受信機に送信する。無線伝送インタフェース９２は、マルチプレクサを含み、６０ＧＨｚの送信機であってもよく、またはその他の送信機であってもよい。
【００２５】
非限定的な実装において、入力されるストリームは、例えば、ＨＤＤインタフェース９８を通じてハードディスクドライブ（ＨＤＤ）９６に記録されてもよい。図２に示すように、入力されるストリームは、内部のデータバス１００を通じてスイッチ８０かＭＰＥＧトランスコーダ８８からＨＤＤ９６に提供されてもよい。再生に関しては、記録されたストリームは、スイッチ８０に送られ、受信機に伝送される。また、ＨＤＤ９６は、モデムコンパチブルイーサネット（登録商標）ポート１０２とイーサネット（登録商標）インタフェース１０４を通じてインターネットからダウンロードされたオーディオ／ビデオデータを格納するようにしてもよい。バス１００に接続されるＣＰＵ１０６などのプロセッサは、例えば、内部の半導体やディスクメモリ１０８内の制御ソフトウェアで実現されるロジックに従って、上述したコンポーネントを制御すると理解されたい。必要に応じて、バス１００を通してＣＰＵ１０６に入力データを送信するために、キーパッド１１０等の入力装置を提供することができ、例えば、調整状態、ネットワーク状態、エラーメッセージ等の、ＣＰＵ１０６から送信されたデータを示すために、ＬＣＤディスプレイ１１２等の出力装置を用いることができる。
【００２６】
図２に示すサーバからの信号は、図３に示すクライアントテレビなどの受信機によって受信されてもよい。信号は、アンテナ１１４で捕捉され、無線受信機インタフェース１１６によって、本技術分野において周知の無線方式に従って処理される。
【００２７】
無線受信機インタフェース１１６は、図２に示す「Ａ」及び「Ｂ」経路に対応する第１及び第２の経路に沿って、２つの対の信号ストリームを出力する。遅延されたストリーム（経路Ａ）を表す出力信号は、スイッチ１１８に送信され、遅延されていないストリーム（経路Ｂ）の出力信号は、図２に示すサーバの遅延メモリ９０と同じ遅延時間長を有する受信機の遅延メモリ１２０に送信される。順番に、受信機の遅延メモリ１１８の出力が、スイッチ１１８に送信される。
【００２８】
従って、スイッチ１１８では、両方のストリームのパケットタイミングは同一である。しかしながら、簡単に図４を参照すると、インタセプトで引き起こされた誤ったパケットの場合は異なる。特に、図４に示すように、経路Ａのストリームにおけるそれぞれのエラーのないパケットは、直接出力され、エラーのない経路Ｂのストリーム内の対応するパケット（同じＩＤかタイムスタンプがあるパケット）で誤ったパケットを置換する。したがって、出力は、完全な、エラーのないストリーム（図４で「結果」とラベルされる）の状態にされる。同様に、経路Ｂのストリームのパケット（例えば、図４のＮ＋７とＮ＋８）のエラーは、経路Ａのストリーム内のパケットに影響しない。
【００２９】
上述のストリームの選択は、内部バス１２４を通じてスイッチ１１８に接続されるＣＰＵ１２２等のプロセッサのコントロールの下で、スイッチ１１８によって行われる。ＣＰＵ１２２は、本発明のロジックが実装された制御ソフトウェアを含むディスクや半導体メモリ１２６等のような論理デバイスにアクセスして、例えば、ＣＰＵ１２２によって本技術分野において周知の検知方式に従ってエラーが検知されたときに、ＣＰＵ１２２が出力のためにもう片方のストリームを選択するためにスイッチ１１８を再構成できるようにしてもよい。
【００３０】
スイッチ１１８の出力は、ビデオからオーディオを分離するためにデマルチプレクサ１２８で逆多重化されてもよい。オーディオ部分は、デジタル−アナログ変換器（ＤＡＣ）１３２でアナログ化し、オーディオアンプ１３４で増幅し、１以上のスピーカー１３６で再生するためにオーディオデコーダ１３０に送られる。一方、ビデオ部分は、デコードするためのビデオデコーダ１３８に送られ、その後、必要に応じてグラフィックエンジン１４２で生成されるグラフィックデータと混合するためのミキサー１４０に送られる。次に、ビデオは、ビデオＤＡＣ１４４でアナログ化され、モニター１４８上に表示するためにディスプレイドライバ１４６に送られる。
【００３１】
サーバＣＰＵと受信機ＣＰＵとは、図２及び３に示す無線ネットワーク上で非同期データ（コマンド、データなど）を交換することができると理解されたい。さらに、受信機ＣＰＵ１２２は、内部の受信機バス１２４を通して様々な受信機のコンポーネントを制御でき、遠隔指令装置１５２からＣＰＵ１２２のためのコマンドを受信するために、内部の受信機バス１２４上にＩＲインタフェース１５０が提供されることができると理解されたい。
【００３２】
図５は、上述のコンポーネントによって実行できるロジックの例を示している。ブロック１５４で始まって、入力信号が受信される。ブロック１５６に移動して、入力信号は、第１の信号と第２の信号とに分離される。ブロック１５８で必要に応じて、第１の信号は遅延されてもよく、そして次に、ブロック１６０で両方の信号が送信される。
【００３３】
ブロック１６２で信号が受信され、ブロック１５６で第１の信号が遅延された場合、ブロック１６２で第２の信号を遅延させる。判断ブロック１６４で、０ではないしきい値または０のしきい値以上のエラーが第１の信号から検出されない場合、ブロック１６６でデータを表示するために第１の信号が用いられる。そうでなければ、ブロック１６８で第１の信号の対応するデータの前に受信された第２の信号が表示される。その後、ロジックは、判断ブロック１６４に戻る。図２及び３の場合のように、第２の信号と第１の信号とが生成されたときに共に同一である場合、一度表示が第２の信号に切り替わると、第１の信号にエラーがなくなると同時に第１の信号に切り替える必要はないが、むしろ、第２の信号にエラーが検出され第１の信号に戻すことができるまで第２の信号を表示し続けることができると理解されたい。
【００３４】
ここで詳細に示し説明されたような特定の高解像度テレビ信号のエラー訂正システム及びエラー訂正方法は、上述した発明の目的を完全に達成することができるが、それは、現在の本発明の好ましい実施形態であり、そのため、本発明によって広く考慮される対象を代表するものであり、本発明の範囲は当業者にとって明らかである他の実施形態を完全に包含し、従って、本発明の範囲は添付したクレーム以外の何によっても限定されるものではなく、クレームにおける単数形の要素の参照は、「少なくとも１つ」を意味するものであると理解されたい。本技術分野において通常の知識を有する者に周知あるいは後に周知となる上述した好適な実施形態の構成要素に対し、全ての構造的及び機能的に同等のものは、参照によって明確にここに組み込まれ、本願クレームによって包含される。本クレームに包含されるべき発明について、装置または方法は、本発明によって解決することを目指すあらゆる問題を解決することを必要としない。さらに、要素、コンポーネント、またはメソッドステップが、クレームで明確に列挙されているか否かに関わらず、本開示におけるいかなる要素、コンポーネント、またはメソッドステップも、公衆に捧げられることを意図しない。ここで明確に定義されていない場合、クレームの用語には、本願明細書及び出願の履歴と矛盾しない全ての通常かつ慣用的な意味が与えられることとなる。構成要素は、「〜ための手段（means for）」という語句を用いて明確に列挙された場合を除いて、いかなるクレームの構成要素も米国特許法第１１２条第６パラグラフの規定の下で解釈されるべきものではない。
【図面の簡単な説明】
【００３５】
【図１Ａ】本発明にかかる非限定的なシステムのブロック図である。
【図１Ｂ】本発明にかかる非限定的なシステムのブロック図である。
【図２】本発明にかかる他の非限定的なシステムの送信機のブロック図である。
【図３】図２に示す非限定的な送信機からのデータを受信する受信機のブロック図である。
【図４Ａ】エラーが存在するストリーム間をシステムが切り替える方法を示す説明図である。
【図４Ｂ】エラーが存在するストリーム間をシステムが切り替える方法を示す説明図である。
【図５】本発明のロジックを示すフローチャートである。
【図１Ａ】
2008530950.tif 000003
【図１Ｂ】
2008530950.tif 000004
【図２】
2008530950.tif 000005
【図３】
2008530950.tif 000006
【図４Ａ】
2008530950.tif 000007
【図４Ｂ】
2008530950.tif 000008
【図５】
2008530950.tif 000009
【国際調査報告】
2008530950.tif 000010
2008530950.tif 000011